(57)【要約】【課題】複数のシステム帯域幅をもつ通信システムの受信装置であっても、回路規模が大きくなることおよび消費電流が大きくなることを抑制すること【解決手段】複数のシステム帯域の各々に応じた通過帯域のうち、選択された通過帯域に、受信信号を帯域制限するアナログフィルタ部と、帯域制限された受信信号をアナログ／デジタル変換するＡ／Ｄ変換部と、アナログ／デジタル変換された受信信号のうち、複数のシステム帯域の中の一つのシステム帯域の信号を復調して、受信データを得る通信用受信部と、アナログ／デジタル変換された受信信号から、複数のシステム帯域の中の他の一つのシステム帯域の受信品質を測定する測定用受信部と、アナログフィルタ部の通過帯域を設定する制御部とを備えることを特徴とする。【選択図】図３
2010283458.tif 000002
【特許請求の範囲】
【請求項１】
複数のシステム帯域をもつ無線通信システムの受信装置であって、
前記複数のシステム帯域の各々に応じた通過帯域のうち、選択された通過帯域に、受信信号を帯域制限するアナログフィルタ部と、
前記帯域制限された受信信号をアナログ／デジタル変換するＡ／Ｄ変換部と、
前記アナログ／デジタル変換された受信信号のうち、前記複数のシステム帯域の中の一つのシステム帯域の信号を復調して、受信データを得る通信用受信部と、
前記アナログ／デジタル変換された受信信号から、前記複数のシステム帯域の中の他の一つのシステム帯域の信号の受信品質を測定する測定用受信部と、
前記アナログフィルタ部の通過帯域を設定する制御部と
を備えることを特徴とする受信装置。
【請求項２】
前記制御部は、前記一つのシステム帯域の帯域幅が、前記他の一つのシステム帯域の帯域幅より狭いときは、前記アナログフィルタ部を、前記一つのシステム帯域に応じた通過帯域に設定すること
を特徴とする請求項１の受信装置。
【請求項３】
前記通信用受信部は、前記制御部により設定された通過帯域で、前記アナログ／デジタル変換された受信信号を帯域制限する通信用デジタルフィルタを備え、
前記制御部は、前記一つのシステム帯域の帯域幅が、前記他の一つのシステム帯域の帯域幅より狭いときは、前記アナログフィルタ部を、前記他の一つのシステム帯域に応じた通過帯域に設定し、前記通信用デジタルフィルタを、前記一つのシステム帯域に応じた通過帯域に設定すること
を特徴とする請求項１の受信装置。
【請求項４】
前記測定用受信部は、前記制御部により設定された通過帯域で、前記アナログ／デジタル変換された受信信号を帯域制限する受信品質測定用デジタルフィルタを備え、
前記制御部は、前記受信品質測定用デジタルフィルタの通過帯域を、前記一つのシステム帯域またはより狭い帯域に応じた通過帯域に設定することを特徴とする請求項２または３に記載の受信装置。
【請求項５】
前記制御部は、前記測定用受信部が、受信品質を測定する対象の信号を探索する探索処理を行っているときと、受信品質を測定する受信品質測定処理を行っているときとで、前記受信品質測定用デジタルフィルタの通過帯域の設定を変更することを特徴とする請求項４に記載の受信装置。
【請求項６】
前記制御部は、受信品質を測定する対象の信号を探索する探索処理を行っているとき、および、受信品質を測定する受信品質測定処理を行っているときにおける前記受信品質測定用デジタルフィルタの通過帯域の設定を、同一にすることを特徴とする請求項４に記載の受信装置。
【請求項７】
前記測定用受信部は、前記制御部により設定された通過帯域で、前記アナログ／デジタル変換された受信信号を帯域制限する受信品質測定用デジタルフィルタを備え、
前記制御部は、前記一つのシステム帯域の帯域幅が、前記他の一つのシステム帯域の帯域幅より狭いときは、前記受信品質測定用デジタルフィルタの通過帯域を前記一つのシステム帯域に応じた通過帯域に設定し、前記一つのシステム帯域の帯域幅が、前記他の一つのシステム帯域の帯域幅より広いときは、前記受信品質測定用デジタルフィルタの通過帯域を前記他の一つのシステム帯域に応じた通過帯域に設定することを特徴とする請求項２に記載の受信装置。
【請求項８】
前記アナログフィルタ部が通過帯域を切替えるタイミングは、受信信号のガードインターバル期間内であることを特徴とする請求項１に記載の受信装置。
【請求項９】
複数のシステム帯域をもつ無線通信システムの受信装置における受信方法であって、
前記受信装置が、受信信号を帯域制限するアナログフィルタ部の通過帯域を設定する第１の過程と、
前記受信装置が、前記複数のシステム帯域の各々に応じた通過帯域のうち、選択された通過帯域に、受信信号を帯域制限する第２の過程と、
前記受信装置が、前記帯域制限された受信信号をアナログ／デジタル変換する第３の過程と、
前記受信装置が、前記アナログ／デジタル変換された受信信号のうち、前記複数のシステム帯域の中の一つのシステム帯域の信号を復調して、受信データを得る第４の過程と、
前記受信装置が、前記アナログ／デジタル変換された受信信号から、前記複数のシステム帯域の中の他の一つのシステム帯域の受信品質を測定する第５の過程と
を有することを特徴とする受信方法。
【発明の詳細な説明】
【技術分野】
【０００１】
本発明は、受信装置および受信方法に関する。
【背景技術】
【０００２】
高速データ通信に対応するために通信帯域幅を広帯域にしようという要求と、周波数の有効活用のために狭い帯域幅にも対応できるシステムに対する需要から、複数のシステム帯域を備える通信システムの規格化が進められている。
システム帯域外では他の通信システムがその周波数を使用している可能性があり、受信装置の入力ではこれらの不要波を除去し、システム帯域内の信号のみを抽出する必要がある。また、入力信号の占有帯域幅を適切な値に制限し、その帯域幅に対応したサンプリング周波数のＡ／Ｄ変換を行うことによって、電力消費を抑える効果もある。そのため、システム帯域が複数ある通信システムでは、それぞれに対応した帯域幅のアナログフィルタとＡ／Ｄ変換器のサンプリング周波数を切り替えて用いることが必要となる。
異なる帯域幅の信号を同時に受信する必要が無い場合は、特許文献1のように信号の帯域幅に応じて可変フィルタを用いることも可能である。
【０００３】
しかしながら、３ＧＰＰ（Third Generation Partnership Project；第三世代パートナーシッププロジェクト）により規格化の進められているＬＴＥ（Long Term Evolution；第三世代の長期進化）では通信中のシステムと異なる帯域幅の信号を受信して周辺基地局の信号品質の測定を行う必要がある。この場合には帯域幅の異なる2種類の信号を同時に受信処理する必要がある。このため、受信装置１０００の構成が例えば図７に示す概略ブロック図のようになる。
【０００４】
システム帯域幅Ａ、システム帯域幅Ｂ、システム帯域幅Ｃの3種類のシステム帯域幅を有する場合、受信装置１０００はそれぞれに対応した通過帯域を有するバンドパスフィルタであるアナログフィルタＡ１００３、アナログフィルタＢ１００４、アナログフィルタC１００５を備える。スイッチ１００６において通信中のシステム帯域幅に対応するアナログフィルタ出力を通信用受信部１００７に接続し、測定中の周辺基地局のシステム帯域幅に対応するアナログフィルタ出力を周辺基地局受信部１００８に接続する。
測定中の周辺基地局のシステム帯域幅は周辺基地局から制御情報を受信して検出する場合や、通信中の基地局から情報を得る場合がある。
【０００５】
通信用受信部１００７では、Ａ／Ｄ変換部１１０１が、アナログフィルタの出力を、通信中のシステム帯域幅に対応したサンプリング周波数でＡ／Ｄ変換（アナログ／デジタル変換）する。Ａ／Ｄ変換された信号を、デジタルフィルタ部１１０２が、デジタルフィルタ処理した後、ＦＦＴ処理部１１０３が、通信中の信号フォーマットに対応したＦＦＴ（Ｆａｓｔ  Ｆｏｕｒｉｅｒ  Ｔｒａｎｓｆｏｒｍ；高速フーリエ変換）処理を行い、周波数領域に変換した信号成分を抽出する。この抽出した信号成分から、ＲＳ抽出部１１０４は、既知パターンである参照信号ＲＳ（Ｒｅｆｅｒｅｎｃｅ  Ｓｉｇｎａｌ）を抽出する。位相補正部１１０５は、この参照信号ＲＳを用いたチャネル推定を行い、周波数領域に変換した信号成分に対して、チャネル推定値に基づいた位相補正を行う。復調部１１０６は、位相補正された信号成分を復調して、受信データを得る。また、ＳＮＲ（Ｓｉｇｎａｌ  ｔｏ  Ｎｏｉｓｅ  Ｒａｔｉｏ；信号雑音比）算出部１１０７は、参照信号ＲＳを用いて受信品質（ＳＮＲ；信号雑音比）を測定する。
【０００６】
周辺基地局受信部１００８では、Ａ／Ｄ変換部１２０１が、アナログフィルタの出力を、測定中の周辺基地局のシステム帯域幅に対応したサンプリング周波数でＡ／Ｄ変換する。Ａ／Ｄ変換された信号は、デジタルフィルタ部１２０２のデジタルフィルタを通過後、ＦＦＴ処理部１２０３によりＦＦＴ処理が行われ、周波数領域に変換された信号成分が抽出される。ＲＳ抽出部１２０４により既知パターンである参照信号ＲＳが抽出され、ＳＮＲ算出部１２０７により、これを用いて周辺基地局の受信品質が測定される。一般に受信品質はＳＮＲによって判定される。ＳＮＲは（１）式によって算出できる。
【０００７】
【数１】
2010283458.tif 000003
【０００８】
ただし、ここでｘｉはＲＳ抽出部１２０４から出力されるｉ番目の参照信号ＲＳの受信シンボルであり、ｘｍは上記受信シンボルについて平均化処理を行った値である。なお、この（１）式は、参照信号ＲＳの送信時の値が全て同じであることが前提である。上式の分子は、平均受信信号電力であり、ｘｍを二乗処理することで求められる。上式の分母は、雑音信号電力でありｘｉとｘｍを用いて求められる。
【先行技術文献】
【特許文献】
【０００９】
【特許文献１】特開２００６−１２９２０１号公報
【発明の概要】
【発明が解決しようとする課題】
【００１０】
このように、複数のシステム帯域幅をもつ通信システムの受信装置においては、帯域幅の異なる複数の信号成分を同時に受信処理するために、複数のＡ／Ｄ変換器を備える必要があり構成が複雑になり、回路規模が大きくなるとともに消費電流も大きくなるという問題がある。
【００１１】
本発明は、このような事情に鑑みてなされたもので、その目的は、複数のシステム帯域幅をもつ通信システムの受信装置であっても、回路規模が大きくなることおよび消費電流が大きくなることを抑制することができる受信装置および受信方法を提供することにある。
【課題を解決するための手段】
【００１２】
（１）この発明は上述した課題を解決するためになされたもので、本発明の受信装置は、複数のシステム帯域をもつ無線通信システムの受信装置であって、前記複数のシステム帯域の各々に応じた通過帯域のうち、選択された通過帯域に、受信信号を帯域制限するアナログフィルタ部と、前記帯域制限された受信信号をアナログ／デジタル変換するＡ／Ｄ変換部と、前記アナログ／デジタル変換された受信信号のうち、前記複数のシステム帯域の中の一つのシステム帯域の信号を復調して、受信データを得る通信用受信部と、前記アナログ／デジタル変換された受信信号から、前記複数のシステム帯域の中の他の一つのシステム帯域の受信品質を測定する測定用受信部と、前記アナログフィルタ部の通過帯域を設定する制御部とを備えることを特徴とする。
【００１３】
（２）また、本発明の受信装置は、上述の受信装置であって、前記制御部は、前記一つのシステム帯域の帯域幅が、前記他の一つのシステム帯域の帯域幅より狭いときは、前記アナログフィルタ部を、前記一つのシステム帯域に応じた通過帯域に設定することを特徴とする。
【００１４】
（３）また、本発明の受信装置は、上述の受信装置であって、前記通信用受信部は、前記制御部により設定された通過帯域で、前記アナログ／デジタル変換された受信信号を帯域制限する通信用デジタルフィルタを備え、前記制御部は、前記一つのシステム帯域の帯域幅が、前記他の一つのシステム帯域の帯域幅より狭いときは、前記アナログフィルタ部を、前記他の一つのシステム帯域に応じた通過帯域に設定し、前記通信用デジタルフィルタを、前記一つのシステム帯域に応じた通過帯域に設定することを特徴とする。
【００１５】
（４）また、本発明の受信装置は、上述のいずれかの受信装置であって、前記測定用受信部は、前記制御部により設定された通過帯域で、前記アナログ／デジタル変換された受信信号を帯域制限する受信品質測定用デジタルフィルタを備え、前記制御部は、前記受信品質測定用デジタルフィルタの通過帯域を、前記一つのシステム帯域またはより狭い帯域に応じた通過帯域に設定することを特徴とする。
【００１６】
（５）また、本発明の受信装置は、上述の受信装置であって、前記制御部は、前記測定用受信部が、受信品質を測定する対象の信号を探索する探索処理を行っているときと、受信品質を測定する受信品質測定処理を行っているときとで、前記受信品質測定用デジタルフィルタの通過帯域の設定を変更することを特徴とする。
【００１７】
（６）また、本発明の受信装置は、上述の受信装置であって、前記制御部は、受信品質を測定する対象の信号を探索する探索処理を行っているとき、および、受信品質を測定する受信品質測定処理を行っているときにおける前記受信品質測定用デジタルフィルタの通過帯域の設定を、同一にすることを特徴とする。
【００１８】
（７）また、本発明の受信装置は、上述の受信装置であって、前記測定用受信部は、前記制御部により設定された通過帯域で、前記アナログ／デジタル変換された受信信号を帯域制限する受信品質測定用デジタルフィルタを備え、前記制御部は、前記一つのシステム帯域の帯域幅が、前記他の一つのシステム帯域の帯域幅より狭いときは、前記受信品質測定用デジタルフィルタの通過帯域を前記一つのシステム帯域に応じた通過帯域に設定し、前記一つのシステム帯域の帯域幅が、前記他の一つのシステム帯域の帯域幅より広いときは、前記受信品質測定用デジタルフィルタの通過帯域を前記他の一つのシステム帯域に応じた通過帯域に設定することを特徴とする。
【００１９】
（８）また、本発明の受信装置は、上述の受信装置であって、前記アナログフィルタ部が通過帯域を切替えるタイミングは、受信信号のガードインターバル期間内であることを特徴とする。
【００２０】
（９）また、本発明の受信方法は、複数のシステム帯域をもつ無線通信システムの受信装置における受信方法であって、前記受信装置が、受信信号を帯域制限するアナログフィルタ部の通過帯域を設定する第１の過程と、前記受信装置が、前記複数のシステム帯域の各々に応じた通過帯域のうち、選択された通過帯域に、受信信号を帯域制限する第２の過程と、前記受信装置が、前記帯域制限された受信信号をアナログ／デジタル変換する第３の過程と、前記受信装置が、前記アナログ／デジタル変換された受信信号のうち、前記複数のシステム帯域の中の一つのシステム帯域の信号を復調して、受信データを得る第４の過程と、前記受信装置が、前記アナログ／デジタル変換された受信信号から、前記複数のシステム帯域の中の他の一つのシステム帯域の受信品質を測定する第５の過程とを有することを特徴とする。
【発明の効果】
【００２１】
この発明によれば、複数のシステム帯域幅をもつ通信システムの受信装置であっても、回路規模が大きくなることおよび消費電流が大きくなることを抑制することができる。
【図面の簡単な説明】
【００２２】
【図１】この発明の第１の実施形態における移動局装置と基地局装置の位置関係を示す図である。
【図２】同実施形態における基地局装置Ａ、Ｂ、Ｃが送信する下り信号の概略構成を示す図である。
【図３】同実施形態における移動局装置Ｄが備える受信装置１０の構成を示す概略ブロック図である。
【図４】同実施形態における受信装置１０の動作を説明するフローチャートである。
【図５】この発明の第２の実施形態における受信装置１０ａの構成を示す概略ブロック図である。
【図６】同実施形態における受信装置１０ａの動作を説明するフローチャートである。
【図７】従来の受信装置１０００の構成を示す概略ブロック図である。
【発明を実施するための形態】
【００２３】
［第１の実施形態］
以下、図面を参照して、本発明の第１の実施形態について説明する。図１は、本実施形態の移動局装置と基地局装置の位置関係を示す図である。図１に示すように、本実施形態における無線通信システムは、基地局装置Ａ、Ｂ、Ｃと、移動局装置Ｄとを有する。基地局装置ＡのセルＡと、基地局装置ＢのセルＢと、基地局装置ＣのセルＣとは、セル端において互い重なっており、これら３つセルが重なっている領域に移動局装置Ｄは位置している。移動局装置Ｄは、特定の基地局装置と通信中であっても、移動局装置Ｄの周辺の他基地局装置からの信号の受信品質を測定し、通信中の基地局装置Ａからの信号の受信品質と比較する。ここでは、移動局装置Ｄは、基地局装置ＡのセルＡの端に位置し、基地局装置Ａと通信中であると同時に、周辺の他の基地局装置である基地局装置Ｂおよび基地局装置Ｃからの信号の受信品質を順次測定中である。本発明は、移動局装置Ｄが備える受信装置１０に適用される。
【００２４】
本実施形態では、基地局装置から移動局装置への下り信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）方式の信号である。図２は、基地局装置Ａ、Ｂ、Ｃが送信する下り信号の概略構成を示す図である。図２に示すように下り信号は、各時刻におけるサブキャリア成分であるリソースエレメントＲＥ（Ｒｅｓｏｕｒｃｅ  Ｅｌｅｍｅｎｔ）から構成される。リソースエレメントＲＥのうち、いくつかには、既知シンボルである参照信号ＲＳ（Ｒｅｆｅｒｅｎｃｅ  Ｓｉｇｎａｌ）が配置される。この参照信号ＲＳは、移動局装置Ｄにおいて、通信路状態（受信品質）の測定に用いられる。
【００２５】
また、図２に示すように、本実施形態において、基地局装置Ａのシステム帯域幅と、基地局装置Ｂのシステム帯域幅と、基地局装置Cのシステム帯域幅の大きさは異なる。すなわち、本実施形態における無線通信システムは、複数のシステム帯域を持つ。そして、これらのシステム帯域幅の関係は、（２）式のように広い方から順に、基地局装置Ｂのシステム帯域幅Ｂ、基地局装置Ａのシステム帯域幅Ａ、基地局装置Ｃのシステム帯域幅Ｃ、共通帯域幅となっている。
システム帯域幅Ｂ＞システム帯域幅Ａ＞システム帯域幅Ｃ＞共通帯域幅・・・（２）
また共通帯域とはシステム帯域幅の中央に位置し、移動局装置が基地局装置を探索するための信号を含み、移動局装置は、この信号を検出することで、同期タイミングと基地局装置識別情報を取得する。
【００２６】
図３は、移動局装置Ｄが備える受信装置１０の構成を示す概略ブロック図である。移動局装置Ｄは、受信装置１０と、公知の方法で、送信データを変調し、無線周波数にアップコンバートして送信する送信装置とを備える。受信装置１０は、アンテナ１１、無線部１２、アナログフィルタＡ部１３、アナログフィルタＢ部１４、アナログフィルタＣ部１５、スイッチ部１６、Ａ／Ｄ（Analogue/Digital；アナログ／デジタル）変換部１７、通信用受信部１８、周辺基地局受信部１９、制御部２０を備える。通信用受信部１８は、デジタルフィルタ部１８１、ＦＦＴ（Fast Fourier Transform；高速フーリエ変換）処理部１８２、ＲＳ抽出部１８３、ＳＮＲ算出部１８４、位相補正部１８５、復調部１８６を備える。通信用受信部１８は、Ａ／Ｄ変換部１７によりアナログ／デジタル変換された受信信号のうち、複数のシステム帯域の中の一つのシステム帯域の信号を復調して、受信データを得る。ここで、複数のシステム帯域の中の一つのシステム帯域の信号は、通信中の基地局装置の信号である。
【００２７】
周辺基地局受信部１９は、デジタルフィルタ部１９１、ＦＦＴ処理部１９２、ＲＳ抽出部１９３、ＳＮＲ算出部１９４、位相補正部１９５、復調部１９６、周辺基地局識別情報探索部１９７を備える。周辺基地局受信部１９（測定用受信部）は、アナログ／デジタル変換された受信信号から、複数のシステム帯域の中の他の一つのシステム帯域の信号の受信品質を測定する。ここで、複数のシステム帯域の中の他の一つのシステム帯域の信号は、通信中の基地局装置以外の信号、すなわち周辺基地局装置の信号である。
【００２８】
アンテナ１１で受信した信号を、無線部１２は、無線周波数信号からベースバンド信号にダウンコンバートし、アナログフィルタＡ部１３、アナログフィルタＢ部１４、アナログフィルタＣ部１５の各々に出力する。アナログフィルタＡ部１３、アナログフィルタＢ部１４、アナログフィルタＣ部１５は、それぞれ、システム帯域幅Ａ、Ｂ、Ｃに対応するアナログのバンドパスフィルタであり、無線部１２から受けたベースバンド信号を、それぞれシステム帯域幅Ａ、Ｂ、Ｃに応じた通過帯域に帯域制限する。本実施形態では、アナログフィルタＡ部１３と、アナログフィルタＢ部１４と、アナログフィルタＣ部１５と、スイッチ部１６とでアナログフィルタ部を構成する。本実施形態におけるアナログフィルタ部は、スイッチ部１６が制御部２０の制御に従いアナログフィルタを選択することで、アナログフィルタ部の通過帯域を設定し、複数のシステム帯域の各々に応じた通過帯域のうち、選択された通過帯域に、受信信号を帯域制限する。
【００２９】
スイッチ部１６は、制御部２０による制御に従い、これら帯域制限された３つの受信信号のうちの一つを選択して、Ａ／Ｄ変換部１７に出力する。Ａ／Ｄ変換部１７は、スイッチ部１６からの帯域制限された受信信号をアナログ／デジタル変換する。このときアナログ／デジタル変換のサンプリング周波数は、制御部２０による制御に従う。なお、制御部２０は、スイッチ部１６で選択しているシステム帯域幅Ａ、Ｂ、Ｃに対応したサンプリング周波数を、Ａ／Ｄ変換部１７に設定する。ここでは、基地局装置Ａと通信中であるためシステム帯域幅Ａの帯域幅に対応したアナログフィルタＡ部１３を、スイッチ部１６は選択している。
【００３０】
Ａ／Ｄ変換された受信信号は、通信用受信部１８と周辺基地局装置受信部１９にそれぞれ送られる。通信用受信部１８では、Ａ／Ｄ変換された受信信号に対して、デジタルフィルタ部１８１（通信用デジタルフィルタ）が帯域制限をかけて、さらにシステム帯域幅Ａの帯域外の信号を抑圧する。その後、ＦＦＴ処理部１８２が、ＦＦＴ処理を行い、周波数領域の信号に変換する。ＲＳ抽出部１８３は、この周波数領域の信号から参照信号ＲＳを抽出する。なお、ＲＳ抽出部１８３は、送信時に参照信号ＲＳが配置されるリソースエレメントの位置を予め記憶しており、該位置の信号を抽出することで、参照信号ＲＳを抽出する。
【００３１】
位相補正部１８５は、抽出した参照信号ＲＳを使って伝搬路による位相変動を推定し、各周波数領域の信号について、該推定結果に基づき位相補正する。位相補正された信号を、復調部１８６は、復調して、基地局装置Ａからの受信データを抽出する。また抽出された参照信号ＲＳを用いて、ＳＮＲ算出部１８４は、基地局装置Ａからの信号のＳＮＲを算出する。制御部２０は、スイッチ部１６、Ａ／Ｄ変換部１７、デジタルフィルタ部１８１、デジタルフィルタ部１９１を制御する。例えば、制御部２０は、後述するように、通信中の基地局装置のシステム帯域の帯域幅が、周辺基地局装置のシステム帯域の帯域幅より狭いときは、スイッチ部１６を、通信中の基地局装置のシステム帯域に応じた通過帯域のアナログフィルタを選択するように設定する。
【００３２】
一方、周辺基地局装置受信部１９は、制御部２０の制御に従い動作し、その動作は、少なくとも第一のステップである周辺基地局装置の探索と、第二のステップである周辺基地局装置の受信品質測定の２つステップを含む。
第一のステップである周辺基地局装置の探索処理では、制御部２０は、デジタルフィルタ部１９１の通過帯域を共通帯域に設定する。このため、Ａ／Ｄ変換された受信信号は、デジタルフィルタ部１９１により、共通帯域に帯域制限される。周辺基地局装置識別情報探索部１９７は、共通帯域の信号から、周辺基地局装置の探索のための信号を検出し、基地局装置の同期タイミングと基地局装置識別情報を調べる。ここで、周辺基地局装置の探索のための信号が検出されれば、該信号に基づき同期タイミングと基地局装置識別情報とを取得し、更にその基地局装置の存在を確かめるため、またシステム帯域幅等の基地局装置情報を取得するため、次の手順で制御チャネルを復調する。
【００３３】
まず、デジタルフィルタ部１９１により共通帯域幅に帯域制限された信号を、ＦＦＴ処理部１９２が、上記同期タイミング（シンボルタイミング）を利用してＦＦＴ処理し、周波数領域の信号に変換する。ＲＳ抽出部１９３は、この周波数領域の信号から参照信号ＲＳを抽出する。位相補正部１９５は、抽出した参照信号ＲＳを使って伝搬路による位相変動を推定し、各周波数領域の信号について、該推定結果に基づき位相補正する。位相補正された信号を、復調部１９６は、システム帯域幅等の基地局装置情報を含む制御チャネルを復調し、周辺基地局識別情報探索部１９７が探索して基地局装置のシステム帯域幅を得る。
【００３４】
ここで基地局装置情報は、周辺基地局受信部１９が受信するとして説明したが、基地局装置Ａから送信される情報に周辺基地局の基地局装置情報が含まれていてもよく、その場合は、通信用受信部１８が基地局装置Ａから情報を受信し、以下で説明する第二のステップで使用するようにしてもよい。
【００３５】
第二のステップである周辺基地局装置の受信品質測定処理では、基地局装置Ｂと基地局装置Ｃの受信品質を測定するが、そのシステム帯域幅により測定方法が異なる。通信中の基地局装置Ａのシステム帯域幅Ａより広いシステム帯域幅である基地局装置Ｂの受信品質を測定するときには、制御部２０は、デジタルフィルタ部１９１の通過帯域をシステム帯域Ａに設定する。このため、Ａ／Ｄ変換された受信信号は、デジタルフィルタ部１９１により、システム帯域Ａに帯域制限される。ＳＮＲ算出部１９４は、システム帯域Ａに帯域制限された信号に含まれる基地局装置Ｂからの参照信号ＲＳからＳＮＲを算出する。基地局装置Ｂからの参照信号ＲＳは全システム帯域幅に分散し送信されているが、ここでは、ＳＮＲ算出部１９４は、基地局装置Ａのシステム帯域幅に含まれる参照信号ＲＳを用いて、ＳＮＲを算出する。
【００３６】
通信中の基地局装置のシステム帯域幅Ａより狭いシステム帯域幅である基地局装置Cの受信品質を測定するときには、基地局装置Ａのシステム帯域幅に基地局装置Cの全ての参照信号ＲＳが含まれる。そこで、制御部２０は、デジタルフィルタ部１９１の通過帯域をシステム帯域Ａまたはシステム帯域Ｃに設定し、ＳＮＲ算出部１９４は、全システム帯域幅に分散されている参照信号ＲＳを用いて、ＳＮＲを算出する。
このように、制御部２０は、周辺基地局装置受信部１９が、受信品質を測定する対象の信号を探索する探索処理を行っているときと、受信品質を測定する受信品質測定処理を行っているときとで、デジタルフィルタ部１９１の通過帯域の設定を変更する。
【００３７】
以上の動作を行うことにより、必要なＡ／Ｄ変換部を１系統にすることができる。よって、本実施形態では、通信中のシステム帯域幅Ａに対応するアナログフィルタＡ部１３が選択され、Ａ／Ｄ変換部１７のサンプリング周波数もシステム帯域幅Ａに対応した周波数のまま、周辺の基地局装置Ｂ、Ｃの受信品質を測定することができる。
【００３８】
図４は、本実施形態における受信装置１０の動作を説明するフローチャートである。ここでは、移動局装置Ｄは、基地局装置Ａと通信中であり、制御部２０による設定により、スイッチ部１６は、アナログフィルタＡ部１３を選択するＰ１に設定され、Ａ／Ｄ変換部１７のサンプリング周波数ＳＣはシステム帯域幅Ａに対応した周波数ＣＬＫ１となっており、デジタルフィルタ部１８１の通過帯域ＢＷ１はシステム帯域Ａに対応した帯域ＢＷＡになっているとして説明する。すなわち設定は、ＳＷ＝Ｐ１、ＳＣ＝ＣＬＫ１、ＢＷ１＝ＢＷＡである。
【００３９】
まず、周辺の基地局装置探索を行なうために、制御部２０は、デジタルフィルタ部１９１の通過帯域ＢＷ２を、共通帯域ＢＷＤに対応した帯域に設定する（ＢＷ２＝ＢＷＤとする）（Ｓ４０２）。ここで、周辺基地局識別情報探索部１９７が、共通帯域ＢＷＤの信号から基地局装置識別情報を所得すると、更にその基地局装置の存在を確かめるため、またシステム帯域幅等の基地局装置情報を取得するため、上記の様に制御チャネルを復調し（Ｓ４０３）、制御部２０に出力する。次に、制御部２０は、通信中の基地局装置Ａのシステム帯域（以下、通信帯域という）の帯域幅Ａ（以下、通信帯域幅という）と、制御チャネルを復調して取得した周辺基地局装置のシステム帯域幅とを比較し、通信帯域幅が周辺基地局装置のシステム帯域幅より狭い否かを判定する（Ｓ４０４）。
【００４０】
ここで、周辺基地局識別情報探索部１９７が検出した基地局装置識別情報は、基地局装置Ｂの基地局装置識別情報であり、制御チャネルを復調して取得した周辺基地局装置のシステム帯域幅が、システム帯域幅Ｂであるとする。システム帯域幅Ｂは、通信帯域幅、すなわちシステム帯域幅Ａより広いので、ステップＳ４０４にて、制御部２０は、通信帯域幅は周辺基地局装置のシステム帯域幅より狭いと判定する（Ｓ４０４−ＹＥＳ）。この判定結果を受けて、制御部２０は、デジタルフィルタ部１９１の通過帯域ＢＷ２を、通信帯域、ここでは基地局装置Ａのシステム帯域に対応した帯域ＢＷＡに設定する（ＢＷ２＝ＢＷＡ）（Ｓ４０５）。この結果、ＳＮＲ算出部１９４は、基地局装置Ｂからの信号のうち、デジタルフィルタ部１９１を通過した基地局装置Ａのシステム帯域の参照信号ＲＳを用いて、ＳＮＲを算出する（Ｓ４０７）。この様な動作により、通信中の基地局装置Ａのシステム帯域幅Ａより広いシステム帯域幅である基地局装置Ｂの受信品質を測定できる。
【００４１】
一方、周辺基地局識別情報探索部１９７が検出した基地局装置識別情報は、基地局装置Ｃの基地局装置識別情報であり、制御チャネルを復調して取得した周辺基地局装置のシステム帯域幅が、システム帯域幅Ｃであるとする。システム帯域幅Ｃは、通信帯域幅、すなわちシステム帯域幅Ａより狭いので、ステップＳ４０４にて、制御部２０は、通信帯域幅は周辺基地局装置のシステム帯域幅以下ではない（周辺基地局装置のシステム帯域幅より広い）と判定する（Ｓ４０４−ＮＯ）。この判定結果を受けて、制御部２０は、デジタルフィルタ部１９１の通過帯域ＢＷ２を、周辺基地局のシステム帯域、ここでは基地局装置Cのシステム帯域に対応した帯域ＢＷＣに設定する（ＢＷ２＝ＢＷＣ）（Ｓ４０６）。つぎに、ＳＮＲ算出部１９４は、デジタルフィルタ部１９１を通過した帯域（基地局装置Cのシステム帯域）内の参照信号ＲＳを用いて、ＳＮＲを算出する（Ｓ４０７）。この様な動作により、通信中の基地局装置Ａのシステム帯域幅Ａより狭いシステム帯域幅である基地局装置Ｃの受信品質を測定できる。
【００４２】
以上の様に、通信中の基地局装置Ａに対応するＡ／Ｄ変換信号を用いて、周辺基地局装置受信部１９が周辺基地局装置の受信品質を測定するので、複数のシステム帯域幅をもつ通信システムの受信装置であっても、通信動作とは別に探索動作のためのＡ／Ｄ変換部を持つ必要がなく、受信装置の回路規模が大きくなることおよび消費電流が大きくなることを抑制することができる。
【００４３】
また、本実施形態では、デジタルフィルタ部１９１の通過帯域を周辺基地局装置の帯域によって変更したが、探索処理を行っているとき、および、受信品質を測定する受信品質測定処理を行っているときにおけるデジタルフィルタ部１９１の通過帯域の設定を、共通帯域に固定、すなわち一定にしてもよい。
本実施形態では基地局装置同士が非同期であることを前提としたが、同期であれば通信用受信部１８のＦＦＴ処理部１８２と、周辺基地局装置受信部１９のＦＦＴ処理部１９２とを共用することが可能であり、さらに回路規模と消費電力（消費電流）を削減することができる。
【００４４】
また、本実施形態では受信品質としてＳＮＲを測定したが、受信電力強度などの他の値でもよく、ＳＮＲに限定するものではない。例えば、３ＧＰＰのＴＳ３６．２１４  ｖ８．５．０である“Physical layer-Measurement”には参照信号ＲＳの平均受信電力ＲＳＲＰ(Reference Signal Received Power)を移動局装置で測定することになっているが、この値を受信品質としてもよい。また、参照信号ＲＳの平均受信品質ＲＳＲＱ（Reference Signal Received Quality）を移動局装置で測定することとなっているが、この値を受品質としてもよい。
【００４５】
［第２の実施形態］
以下、図面を参照して、本発明の第２の実施形態について説明する。本実施形態においても、第１の実施形態と同様に、図１に示すように、基地局装置ＡのセルＡと、基地局装置ＢのセルＢと、基地局装置ＣのセルＣとは、セル端において互い重なっており、これら３つセルが重なっている領域に移動局装置Ｄは位置している。また、基地局装置Ａ、基地局装置Ｂ、基地局装置Cのシステム帯域幅の広さの関係は、（２）式のように広い方から順に、基地局装置Ｂのシステム帯域幅Ｂ、基地局装置Ａのシステム帯域幅Ａ、基地局装置Ｃのシステム帯域幅Ｃ、共通帯域幅となっている。
【００４６】
本実施形態でも、通信中の基地局装置のシステム帯域幅が周辺基地局装置のシステム帯域幅より広いときは、第１の実施形態と同様にしてＳＮＲを算出する。しかし、通信中の基地局装置のシステム帯域幅が周辺基地局装置のシステム帯域幅より狭いときに、第１の実施形態とは異なる方法を用いてＳＮＲの算出を行う。すなわち、本実施形態では、通信中の基地局装置Ａのシステム帯域幅Ａが、基地局装置Ａと通信中に探索して発見した基地局装置Ｂのシステム帯域幅Ｂより狭いときは、そのままでは基地局装置Ｂの全帯域の信号を取り出すことが出来ないため、使用するアナログフィルタを切り替えるとともに、Ａ／Ｄ変換のサンプリング周波数を上昇させることで、基地局装置Ｂのシステム帯域の信号を受信して、ＳＮＲを算出する。
【００４７】
図５は、移動局装置Ｄが備える本実施形態における受信装置１０ａの構成を示す概略ブロック図である。受信装置１０ａは、スイッチ部１６と、Ａ／Ｄ変換部１７と、デジタルフィルタ部１８１と、デジタルフィルタ部１９１とを制御する制御部２０ａを、制御部２０に変えて備える点のみが、図３の受信装置１０と比べると異なるので、各部の説明は省略する。なお、本実施形態においても、アナログフィルタＡ部１３と、アナログフィルタＢ部１４と、アナログフィルタＣ部１５と、スイッチ部１６とでアナログフィルタ部を構成する。
【００４８】
第１の実施形態では、使用するアナログフィルタを、通信中の基地局装置Ａのシステム帯域に合わせて選択しているため、デジタルフィルタ部１８１はアナログフィルタＡ部１３の特性を補う役割であった。本実施形態では、測定中の基地局装置Bのシステム帯域幅に合わせてアナログフィルタを切り替える。そのため、通信中の基地局装置Ａの信号より広い帯域の信号が得られるが、ＦＦＴ処理部１８２がＦＦＴ処理する信号に、帯域外の不要な信号が含まれていると、ＦＦＴ処理の精度が劣化する可能性がある。このため、デジタルフィルタ部１８１は、その帯域外成分を除去して、基地局装置Ａのシステム帯域内の信号のみ抽出する役割を持つ。
【００４９】
図６は、本実施形態における受信装置１０ａの動作を説明するフローチャートである。ここでは、移動局装置Ｄは、基地局装置Ａと通信中であり、制御部２０ａによる設定により、スイッチ部１６は、アナログフィルタＡ部１３を選択するＰ１に設定され、Ａ／Ｄ変換部１７のサンプリング周波数ＳＣはシステム帯域幅Ａに対応した周波数ＣＬＫ１となっており、デジタルフィルタ部１８１の通過帯域ＢＷ１はシステム帯域Ａに対応した帯域ＢＷＡになっているとして説明する。すなわち設定は、ＳＷ＝Ｐ１、ＳＣ＝ＣＬＫ１、ＢＷ１＝ＢＷＡである。
【００５０】
まず、周辺の基地局装置探索を行なうために、制御部２０ａは、デジタルフィルタ部１９１の通過帯域ＢＷ２を、共通帯域ＢＷＤに対応した帯域に設定する（ＢＷ２＝ＢＷＤとする）（Ｓ５０２）。周辺基地局装置識別情報探索部１９７は、周辺基地局装置の探索のため共通帯域ＢＷＤの信号から周辺基地局装置の同期タイミングと基地局装置識別情報を調べる。ここで基地局装置識別情報が見つかると、更にその基地局装置の存在を確かめるため、またシステム帯域幅等の基地局装置情報を取得するため、復調部１９６は、上記の様に制御チャネルを復調し（Ｓ５０３）、制御部２０ａに出力する。ここで周辺基地局装置の情報は、基地局装置Ａが送信する情報に周辺基地局装置情報を含めていて、制御部２０ａは、その情報を使用しても良い。
【００５１】
次に制御部２０ａは、通信中の基地局装置Ａのシステム帯域（以下、通信帯域という）の帯域幅Ａ（以下、通信帯域幅という）と、制御チャネルを復調して取得した周辺基地局装置のシステム帯域幅とを比較し、通信帯域幅が周辺基地局装置のシステム帯域幅より狭いか否かを判定する（Ｓ５０４）。ここで、周辺基地局識別情報探索部１９７が検出した基地局装置識別情報は、基地局装置Ｂの基地局装置識別情報であり、制御チャネルを復調して取得した周辺基地局装置のシステム帯域幅が、システム帯域幅Ｂであるとする。システム帯域幅Ｂは、通信帯域幅、すなわちシステム帯域幅Ａより広いので、ステップＳ４０４にて、制御部２０ａは、通信帯域幅は周辺基地局装置のシステム帯域幅より狭いと判定する（Ｓ５０４−ＹＥＳ）。
【００５２】
この判定結果を受けて、制御部２０ａは、アナログフィルタを周辺基地局装置である基地局装置Ｂのシステム帯域に応じた通過帯域に設定する、すなわち、アナログフィルタＢ部１４を選択するようにスイッチ部１６を制御する（ＳＷ=Ｐ２）。また、制御部２０ａは、Ａ／Ｄ変換部１７のサンプリング周波数ＳＣを基地局装置Bの帯域幅に対応した周波数ＳＣ２に設定する（ＳＣ=ＳＣ２）（Ｓ５０５）。また、デジタルフィルタ部１８１の通過帯域ＢＷ１の設定は、通信中の基地局装置Ａのシステム帯域Ａのままとする。ここで、スイッチ部１６の切替タイミングは、通信中の基地局装置からの信号のガードインターバルであるＣＰ（Ｃｙｃｌｉｃ Ｐｒｅｆｉｘ）区間内とすることで、アナログフィルタ切替による通信データへの悪影響を減らすことが出来る。次に、制御部２０ａは、デジタルフィルタ部１９１の帯域幅ＢＷ２を、周辺基地局装置である基地局装置Ｂの帯域幅に対応した帯域幅ＢＷＢに設定する（ＢＷ２＝ＢＷＢ）（Ｓ５０６）。この結果、ＳＮＲ算出部１９４は、デジタルフィルタ部１９１を通過した帯域（基地局装置Ｂのシステム帯域）内の参照信号ＲＳからＳＮＲを算出する（Ｓ５０７）。
【００５３】
一方、周辺基地局識別情報探索部１９７が検出した基地局装置識別情報は、基地局装置Ｃの基地局装置識別情報であり、制御チャネルを復調して取得した周辺基地局装置のシステム帯域幅が、システム帯域幅Ｃであるとする。システム帯域幅Ｃは、通信帯域幅、すなわちシステム帯域幅Ａより狭いので、ステップＳ５０４にて、制御部２０ａは、通信帯域幅は周辺基地局装置のシステム帯域幅以下ではないと判定する（Ｓ５０４−ＮＯ）。この場合は、制御部２０ａは、第１の実施形態における制御部２０と同様の動作を行う。すなわち、デジタルフィルタ部１９１の通過帯域ＢＷ２を、周辺基地局のシステム帯域、ここでは基地局装置Cのシステム帯域に対応した帯域ＢＷＣに設定する（ＢＷ２＝ＢＷＣ）（Ｓ５０６）。つぎに、ＳＮＲ算出部１９４は、デジタルフィルタ部１９１を通過した帯域（基地局装置Cのシステム帯域）内の参照信号ＲＳを用いて、ＳＮＲを算出する（Ｓ５０７）。
【００５４】
以上の様に、通信中の基地局装置Ａよりもシステム帯域が広い基地局装置Ｂが周辺基地局装置であるときは、制御部２０ａは、スイッチ部１６がアナログフィルタＢ部１４を選択するように設定し、さらに、デジタルフィルタ部１９１の通過帯域を基地局装置Ｂのシステム帯域に対応する帯域に設定するので、通信動作と別に、周辺基地局装置受信のためのＡ／Ｄ変換部を持つ必要がない。
【００５５】
本実施形態では、基地局装置Ａ、Ｂ、Ｃは、非同期に信号を送信していることを前提としたが、同期して送信しているのであれば通信用受信部１８のＦＦＴ処理部１８２と周辺基地局装置受信部１９のＦＦＴ処理部１９２は共用することが可能である。これにより、さらに移動局装置Ｄの回路規模と消費電力を削減することができる。
【００５６】
また、本実施形態では受信品質としてＳＮＲを測定したが、受信電力強度などの他の値でもよく、ＳＮＲに限定するものではない。例えば、３ＧＰＰのＴＳ３６．２１４  ｖ８．５．０である“Physical layer-Measurement”には参照信号ＲＳの平均受信電力ＲＳＲＰ(Reference Signal Received Power)を移動局装置で測定することになっているが、この値を受信品質としてもよい。また、参照信号ＲＳの平均受信品質ＲＳＲＱ（Reference Signal Received Quality）を移動局装置で測定することとなっているが、この値を受品質としてもよい。
【００５７】
また、図３における通信用受信部１８、周辺基地局用受信部１９、制御部２０、および図５における通信用受信部１８、周辺基地局用受信部１９、制御部２０ａの機能を実現するためのプログラムをコンピュータ読み取り可能な記録媒体に記録して、この記録媒体に記録されたプログラムをコンピュータシステムに読み込ませ、実行することにより各部の処理を行ってもよいし、各部を、専用のハードウェアにより実現してもよい。なお、ここでいう「コンピュータシステム」とは、ＯＳや周辺機器等のハードウェアを含むものとする。
【００５８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５９】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００６０】
本発明は、携帯電話などを移動局装置とする移動通信システムに用いて好適であるが、これに限定されない。
【符号の説明】
【００６１】
１０、１０ａ…受信装置
１１…アンテナ
１２…無線部
１３…アナログフィルタＡ部
１４…アナログフィルタＢ部
１５…アナログフィルタＣ部
１６…スイッチ部
１７…Ａ／Ｄ変換部
１８…通信用受信部
１８１…デジタルフィルタ部
１８２…ＦＦＴ処理部
１８３…ＲＳ抽出部
１８４…ＳＮＲ算出部
１８５…位相補正部
１８６…復調部
１９…周辺基地局受信部
１９１…デジタルフィルタ部
１９２…ＦＦＴ処理部
１９３…ＲＳ抽出部
１９４…ＳＮＲ算出部
１９５…位相補正部
１９６…復調部
１９７…周辺基地局識別情報探索部
２０、２０ａ…制御部
【図１】
2010283458.tif 000004
【図２】
2010283458.tif 000005
【図３】
2010283458.tif 000006
【図４】
2010283458.tif 000007
【図５】
2010283458.tif 000008
【図６】
2010283458.tif 000009
【図７】
2010283458.tif 000010